(57)【要約】      （修正有）【課題】愛撫用乃至は広範なマッサージ用として広く用いることができると共に汎用性に富む愛撫用手袋を提供する。【解決手段】伸縮性軟質合成樹脂製であり、５指の全てについて、指先から付け根にかけて指全域がマッサージ領域であると共に、手掌及び手背の全域もマッサージ領域であり、該マッサージ領域に配置される突起部や薄片部が、４つにパターン化されており、手掌側と手背側とを同一形状又は対称形状に構成して、左右の手の区別無く用いることが可能な構成である。【選択図】図１
0003164412.tif 000002
【実用新案登録請求の範囲】
【請求項１】
伸縮性軟質合成樹脂製の愛撫用手袋において、
５指の全てについて、指先から付け根にかけて指全域がマッサージ領域であると共に、手掌及び手背の全域もマッサージ領域であり、該マッサージ領域に配置される突起部や薄片部が、４つにパターン化されており、
手掌側と手背側とを同一形状又は対称形状に構成して、左右の手の区別無く用いることが可能な構成であることを特徴とする愛撫用手袋。
【請求項２】
前記５指は３つの突起部にパターン化され、前記手掌及び手背は１つの薄片部にパターン化されていることを特徴とする請求項１に記載の愛撫用手袋。
【請求項３】
前記５指の内、親指と小指とが同一のパターンの突起部、中指と薬指とが同一のパターンの突起部、人差し指が単独のパターンの突起部であることを特徴とする請求項１に記載の愛撫用手袋。
【請求項４】
前記親指と小指の同一パターンの突起部が、複数の波状薄片形状の突起から形成された構成であることを特徴とする請求項３に記載の愛撫用手袋。
【請求項５】
前記中指と薬指の同一パターンの突起部が、複数の円柱状の突起から形成された構成であることを特徴とする請求項３に記載の愛撫用手袋。
【請求項６】
前記人差し指の単独パターンの突起部が、複数の交差する縦条及び横条から成る格子状の突起から形成された構成であることを特徴とする請求項３に記載の愛撫用手袋。
【請求項７】
前記手掌と手背の同一のパターンの薄片部が、手掌と手背の夫々に縦列及び横列状態で立設させた複数の薄片から形成された構成であることを特徴とする請求項３に記載の愛撫用手袋。
【請求項８】
材質が、シリコーン樹脂であることを特徴とする請求項１〜７のいずれかに記載の愛撫用手袋。
【考案の詳細な説明】
【技術分野】
【０００１】
本考案は愛撫用手袋に関し、詳しくはマッサージ時や愛撫時に手に装着して用いることでマッサージ効果・愛撫効果を高めることができる手袋に関する。
【背景技術】
【０００２】
女性のバストへのマッサージ時に軟質合成樹脂材等で形成された手袋を手に装着する技術が知られている（例えば、特許文献１参照）。
【０００３】
特許文献１の技術は、手掌や指の範囲に設けたマッサージ領域に突起部や薄片部を配置することでバスト部へのマッサージ効果を高める構成となっている。
【０００４】
しかし、マッサージ用途が女性のバスト部に限られるものであるだけでなく、マッサージ領域に配置された突起部や薄片部がローション等の液体の導出という観点のみでしか工夫されておらず、汎用性についても何ら考慮がされていないものである。
【先行技術文献】
【特許文献】
【０００５】
【特許文献１】特表２００９−５１５６１３号
【考案の概要】
【考案が解決しようとする課題】
【０００６】
そこで本考案の課題は、性交補助や自慰補助の如き愛撫用乃至は広範なマッサージ用として広く用いることができると共に汎用性に富む愛撫用手袋を提供することにある。
【課題を解決するための手段】
【０００７】
上記課題を解決する本考案は下記構成を有する。
【０００８】
１．伸縮性軟質合成樹脂製の愛撫用手袋において、
５指の全てについて、指先から付け根にかけて指全域がマッサージ領域であると共に、手掌及び手背の全域もマッサージ領域であり、該マッサージ領域に配置される突起部や薄片部が、４つにパターン化されており、
手掌側と手背側とを同一形状又は対称形状に構成して、左右の手の区別無く用いることが可能な構成であることを特徴とする愛撫用手袋。
【０００９】
２．前記５指は３つの突起部にパターン化され、前記手掌及び手背は１つの薄片部にパターン化されていることを特徴とする上記１に記載の愛撫用手袋。
【００１０】
３．前記５指の内、親指と小指とが同一のパターンの突起部、中指と薬指とが同一のパターンの突起部、人差し指が単独のパターンの突起部であることを特徴とする上記１に記載の愛撫用手袋。
【００１１】
４．前記親指と小指の同一パターンの突起部が、複数の波状薄片形状の突起から形成された構成であることを特徴とする上記３に記載の愛撫用手袋。
【００１２】
５．前記中指と薬指の同一パターンの突起部が、複数の円柱状の突起から形成された構成であることを特徴とする上記３に記載の愛撫用手袋。
【００１３】
６．前記人差し指の単独パターンの突起部が、複数の交差する縦条及び横条から成る格子状の突起から形成された構成であることを特徴とする上記３に記載の愛撫用手袋。
【００１４】
７．前記手掌と手背の同一のパターンの薄片部が、手掌と手背の夫々に縦列及び横列状態で立設させた複数の薄片から形成された構成であることを特徴とする上記３に記載の愛撫用手袋。
【００１５】
８．材質が、シリコーン樹脂であることを特徴とする上記１〜７のいずれかに記載の愛撫用手袋。
【考案の効果】
【００１６】
請求項１に示す考案によれば、性交補助や自慰補助の如き愛撫用乃至は広範なマッサージ用として広く用いることができると共に汎用性に富む愛撫用手袋を提供することができる。
【００１７】
特に、伸縮性軟質合成樹脂製であると共に、手掌側と手背側とが同一形状又は対称形状に構成されているので、手指や掌の大小や右利き・左利きの如き利き手を問わず用いることができるので汎用性に富む愛撫用手袋となっている。
【００１８】
請求項２に示す考案によれば、５指に配置される３パターンの突起部に応じて異なる愛撫効果又はマッサージ効果を得ることができる。
【００１９】
請求項３に示す考案によれば、５指夫々の指に応じたパターンの突起部が配置されているので、夫々の指に適した愛撫効果又はマッサージ効果を得ることができる。
【００２０】
請求項４に示す考案によれば、５指の両端に位置することで物を掴んだりする際等に重要な指である親指と小指に適したパターンの突起部が配置されているので、該親指と小指に適した愛撫効果又はマッサージ効果を得ることができる。
【００２１】
請求項５に示す考案によれば、５指の中央及びその外隣に位置し、５指の中で相対的に多用な動きが強いられない中指及び薬指に適したパターンの突起部が配置されているので、該中指と薬指に適した愛撫効果又はマッサージ効果を得ることができる。
【００２２】
請求項６に示す考案によれば、５指の中で最も多用する人差し指に適したパターンの突起部が配置されているので、該人差し指に適した愛撫効果又はマッサージ効果を得ることができる。
【００２３】
請求項７に示す考案によれば、手表面の中で広い平面を有する手掌と手背に複数の薄片状の突起部が縦列及び横列状態で立設されているので、手の表面を使った愛撫又はマッサージの際に愛撫効果又はマッサージ効果をより高めることができる。
【００２４】
請求項８に示す考案によれば、人肌のような柔らかさを得ることができると共に、体温等により人肌並みの温かさも得ることができるので、愛撫時又はマッサージ時の不快感が極めて少なく癒し効果が高い。
【図面の簡単な説明】
【００２５】
【図１】本考案に係る愛撫用手袋の一実施例を示す正面図及び背面図
【考案を実施するための形態】
【００２６】
次に、添付の図面に従って本考案を詳細に説明する。
【００２７】
本考案に係る愛撫用手袋は、手に装着して用いることで性交補助や自慰補助の如き愛撫時乃至は広範なマッサージ時に愛撫効果・マッサージ効果を高めることができ、汎用性に富むものである。
【００２８】
本考案に係る愛撫用手袋１の具体的構成の一例としては、伸縮性軟質合成樹脂製から成り、図１に示すように、５指の指部２の全てについて、指先から付け根にかけて指全域がマッサージ領域であると共に、手掌部３及び手背部４の全域もマッサージ領域であり、該マッサージ領域に配置される突起部や薄片部５（以下、単に突起部ということもある。）が、４つにパターン化されており、手掌側と手背側とを同一形状又は対称形状に構成して、左右の手の区別無く用いることが可能な構成である。
【００２９】
本考案の愛撫用手袋１の材質である伸縮性軟質合成樹脂としては、この種のマッサージ手袋の材質として公知公用の伸縮性軟質合成樹脂を特別の制限無く用いることができるが、好ましくはシリコーン樹脂を挙げることができる。尚、上記その他の軟質合成樹脂としては、フェノール樹脂、メラミン樹脂、不飽和ポリエステル樹脂、エポキシ樹脂、シリコーン等の珪素樹脂、ポリウレタン樹脂等を挙げることができる。また、これ以外に、未加硫・半加硫ないし加硫されたポリスチレン系、ポリオレフィン系、ポリブタジエン系、ポリエステル系、ニトリルゴム、ポリクロロプレン、ポリウレタンゴム等を挙げることが可能であり、ポリエチレン、ナイロン、ポリ塩化ビニル、ポリプロピレン、ポリエステル、ポリアミド等を挙げることも可能である。
【００３０】
本考案の愛撫用手袋１は以上の主構成の内、伸縮性軟質合成樹脂製であることにより、手指や掌の大小を問わず、様々な手指の長さ・太さ及び掌の大小に応じて伸縮することで対応することができる。
【００３１】
更に、伸縮性軟質合成樹脂製であると共に手掌側と手背側とが同一形状又は対称形状に構成されることにより、右手と左手のどちらの手にも装着することができるので、右利き・左利きの如き利き手を問わず用いることができる。従って、極めて汎用性に富む愛撫用手袋となっている。
【００３２】
５指の指部２の全てについて指先から付け根にかけての指全域のマッサージ領域に配置される突起部５としては、３つの突起部３にパターン化された構成であることが好ましい。
【００３３】
３つの突起部３にパターン化された構成の一例としては、例えば、図１に示す本実施例のように、前記５指の指部２の内、親指２１と小指２５とが同一のパターンの突起部５１・５５、中指２３と薬指２４とが同一のパターンの突起部５３・５４、人差し指２２が単独のパターンの突起部５２とする計３つのパターンを挙げることができる。
【００３４】
３つの突起部５のパターンの具体的構成の一例としては、図１に示すように、親指２１と小指２５の同一パターンの突起部５１・５５は複数の波状薄片形状の突起から形成された構成であり、中指２３と薬指２４の同一パターンの突起部５３・５４は複数の円柱状の突起から形成された構成であり、人差し指２２の単独パターンの突起部５２は複数の交差する縦条及び横条から成る格子状の突起から形成された構成である。
【００３５】
また、手掌部３及び手背部４の全域のマッサージ領域に配置された突起部５（５６）の具体的構成の一例としては、１つの薄片部にパターン化された構成、即ち、手の表である手掌側の手掌部３と手の裏である手背側の手背部４の夫々に配置された突起部５（５６）が同一の構成であることが好ましい。
【００３６】
手掌部３と手背部４に配置された薄片部である突起部５６としては、手掌と手背の夫々に縦列及び横列状態で立設させた複数の薄片から形成された構成である。
【００３７】
突起部や薄片部から成る突起部５は、愛撫用手袋１の本体と一体的に樹脂成形されることで使用時に剥離・脱落が生じない構成となっていることが好ましい。
【００３８】
以上、本考案に係る愛撫用手袋１について図１に示す実施例に基き説明したが、本考案は上記実施例に限定されず、本考案の範囲内において種々の態様を採ることができる。
【００３９】
例えば、上記実施例では５指の指部２のマッサージ領域に配置される突起部５は３つのパターンであったが、５指の全てを同一のパターンとしてもよいし、２つのパターンや４つのパターンであってもよいし、５指の全てが異なるパターンであってもよい。
【００４０】
また、１本の指部２に対して指先から付け根まで同一のパターンの突起部５を配置する態様に限らず、２つ以上のパターンの突起部５の組み合わせ配置とすることもできる。
【００４１】
更に、５指の指部２の全てと手掌部３と手背部４の全てに同一のパターンの突起部５を配置してもよいし、これらの全ての突起部５間の隙間を無くして連続的に配置してもよい。
【００４２】
更にまた、手掌部３と手背部４に配置された突起部５（５６）としては上記実施例の薄片形状に限定されず、指部２に配置された突起部５の３つのパターン５１・５５、５３・５４、５２のいずれかであってもよいし、これらの組み合わせであってもよいし、その他の形状であってもよい。
【符号の説明】
【００４３】
１  愛撫用手袋
２  指部
２１  親指部
２２  人差し指部
２３  中指部
２４  薬指部
２５  小指部
３  手掌部
４  手背部
５  突起部や薄片部
５１  親指部の突起部
５２  人差し指部の突起部
５３  中指部の突起部
５４  薬指部の突起部
５５  小指部の突起部
５６  手掌部及び手背部の突起部
【図１】
0003164412.tif 000003